(57)【要約】【課題】単純な製造・組立で製作可能な跳ね上げ機構で、６０度と１２０度の跳ね上げ角度を安定保持する、眼鏡および跳ね上げ部品を２本のネジで交換できる跳ね上げ眼鏡の提供。【解決手段】眼鏡前枠にジグザグ状に切抜き曲げ加工した矩形状切片に取り付けた６角柱状体２のネジ穴に、眼鏡後枠の穴を通して取り付けネジで固定する跳ね上げ眼鏡。眼鏡前枠に上向きの回転力を与えると、回転中心軸を中心に眼鏡前枠は弾性力で跳ね上がり、６０度で安定保持する。更に眼鏡前枠に回転力を与えると、１２０度で眼鏡前枠は安定保持する。更に眼鏡枠に下向きの回転力を与えると、１２０度から６０度、６０度から０度に回転移動する。また６角柱状体の交換が必要なときは、取り付けネジを取り外し、６角柱状体を側面方向に移動して取り外すことで、容易に６角柱状体を交換できる。【選択図】図１８
2011090086.tif 000002
【特許請求の範囲】
【請求項１】
弾性力を有する平板材、例えばＳＵＳ３０４−ｃｓｐなどのようなばね用ステンレス鋼の弾性板材をレーザ加工やプレス加工などの切断加工法により、縦横のジグザグ状直線に切り抜いた各々のコ字形状切片を曲げ成形し、コ字形状切片が作る、３角柱状体の空間内に多角柱状体を取り付け、多角柱状体の両側面中心を通る中心線を回転中心軸にして平板状の回転体に回転力を与えることで、コ字形状切片の弾性力により回転体が多角柱状体の平面上で回転移動しながら、多角柱状体の平面上で安定保持する、ジグザグ状に切抜き曲げ加工したコ字形状切片の構造を有した回転体、および多角柱状体から成る回転体角度保持機構。たとえば多角柱状体が６角柱状体の場合では弾性板材の弾性力で回転体が６角柱状体の平面上で回転移動しながら６０度毎に６角柱状体平面上で安定保持する。
【請求項２】
請求項１の回転体角度保持機構におけるジグザグ状の切抜き加工を眼鏡前枠輪郭の切断加工と同時に眼鏡前枠の眉間部に施した眼鏡前枠、また前記眼鏡前枠の眉間部に取り付けた請求項１の回転体角度保持機構における６角柱状体に眼鏡後枠をネジで固定した、跳ね上げ眼鏡。
【発明の詳細な説明】
【技術分野】
【０００１】
本発明はサングラスや遠視など必要な状況に応じて、眼鏡前枠の回転角度を安定保持する、跳ね上げ眼鏡および跳ね上げ機能と回転体の角度保持を必要とする製品や機械の回転体角度保持機構に関するものである。
【背景技術】
【０００２】
跳ね上げ眼鏡には、弾性力を使って軽い力で眼鏡前枠（回転体）の跳ね上げを補助し、跳ね上げ動作による身体的・精神的ストレスを軽減する高機能で複雑構造の、跳ね上げ眼鏡がある。
【０００３】
しかし複雑で部品数が多いため跳ね上げ動作による跳ね上げ部品の摩耗・破損や部品のロウ付け箇所の錆び・断裂が生じやすくなる。
【０００４】
更に複雑な、跳ね上げ構造は製造工程や組み立て工程が多く製品価格の高騰を生じる。
【０００５】
また跳ね上げ眼鏡には眼鏡前枠と、眼鏡後枠を蝶番やパイプ軸受けで連結しただけの単純構造の、跳ね上げ眼鏡がある。この跳ね上げ眼鏡は常に手指で眼鏡前枠を支えながら跳ね上げるため、身体的・精神的ストレスを生じる。
【０００６】
しかし単純構造の、跳ね上げ眼鏡は部品数、製造工程、組立工程も少なく、製品価格の低減を実現できる。
【０００７】
前記複雑構造の、跳ね上げ眼鏡に更に跳ね上げ角度を安定保持する機構を備えた、跳ね上げ機構がある。例えば読書などで手元近くを見るときに眼鏡前枠を６０度前後の角度で安定保持、また遠方を見るときには１２０度前後の角度で安定保持する、跳ね上げ角度保持機構である。
【０００８】
また前記単純構造の、跳ね上げ眼鏡にも跳ね上げ角度を安定保持する機構を備えた、跳ね上げ機構がある。
【０００９】
しかし跳ね上げ機能が高機能化すれば複雑構造、単純構造の何れの、跳ね上げ構造も更に跳ね上げ部品の最小化や複雑化は避けられないため、摩耗・破損・錆び・破断などが生じやすくなる。
【先行技術文献】
【特許文献】
【００１０】
【特許文献１】特開平０９−２９２５９２
【特許文献２】特開平１０−１１５８１１
【特許文献３】特開２００１−２２１９８０
【特許文献４】特開２００３−１５０８９
【発明の概要】
【発明が解決しようとする課題】
【００１１】
眼鏡前枠を軽い力で跳ね上げる動作を単純跳ね上げ構造で補助し、跳ね上げ動作による身体的・精神的ストレスを軽減する高機能性の、跳ね上げ眼鏡を実現する。
【００１２】
また読書など手元近くを見るときに眼鏡前枠を６０度前後の角度で安定保持、遠方を見るときには１２０度前後の角度で安定保持する、単純跳ね上げ構造の、跳ね上げ角度保持機構を実現する。
【００１３】
更に跳ね上げ部品の摩耗や破損を簡単に交換できる単純跳ね上げ構造の、跳ね上げ眼鏡を実現する。
【課題を解決するための手段】
【００１４】
請求項１の回転体角度保持機構により請求項２の眼鏡前枠を軽い力で跳ね上げる動作を補助する。
【００１５】
また請求項１の回転体角度保持機構により請求項２の眼鏡前枠を６０度前後の角度で安定保持、あるいは１２０度前後の角度で安定保持する。
【００１６】
更に請求項２の眼鏡後枠と６角柱状体を固定しているネジを取り外すことで跳ね上げ部品を簡単に交換できる。
【発明の効果】
【００１７】
本考案の回転体角度保持機構と跳ね上げ眼鏡により、眼鏡前枠を軽い力で跳ね上げる動作を補助し、跳ね上げ動作による身体的・精神的ストレスを軽減する。
【００１８】
本考案の回転体角度保持機構と跳ね上げ眼鏡により、読書など手元近くを見るときに眼鏡前枠を６０度前後の角度で安定保持する。また遠方を見るときには１２０度前後の角度で安定保持する。
【００１９】
本考案の回転体角度保持機構と跳ね上げ眼鏡により、小売店などで簡単に跳ね上げ部品を交換できる。
【００２０】
本考案の回転体角度保持機構の一部が、眼鏡前枠の眉間に施され正面に露出するため、印象性の強い眼鏡意匠として他の、跳ね上げ眼鏡との差異を認知する効果がある。
【００２１】
本考案の回転体角度保持機構と跳ね上げ眼鏡は製造工程、組立工程が少なく、製品価格の低減を実現できる。
【００２２】
本考案の回転体角度保持機構と跳ね上げ眼鏡は製造工程、組立工程が少なく、作業環境の改善を実現できる。
【００２３】
本考案の回転体角度保持機構と跳ね上げ眼鏡は、跳ね上げの部品数が少ないため、摩耗・破損・錆び・破断などの問題が少ない。
【００２４】
本考案の回転体角度保持機構と跳ね上げ眼鏡は、跳ね上げの部品数が少ないため、部品管理の負担が少ない。
【図面の簡単な説明】
【００２５】
【図１】平板状の回転体中央部をジグザグ状に切り抜いた平面図
【図２】各コ字形状切片を曲げ加工した回転体１の背面斜視図
【図３】図２の右側面図
【図４】図２の平面図
【図５】図２背面図
【図６】回転体１と６角柱状体２の背面斜視図
【図７】請求項１の回転体角度保持機構の背面斜視図
【図８】請求項１の回転体角度保持機構の右側面図
【図９】請求項１の回転体角度保持機構の平面図
【図１０】請求項１の回転体角度保持機構の背面図
【図１１】請求項１の回転体角度保持機構の底面図
【図１２】請求項１の回転体角度保持機構の回転体１を３０度、回転した右側面図
【図１３】請求項１の回転体角度保持機構の回転体１を６０度、回転した右側面図
【図１４】請求項１の回転体角度保持機構の回転体１を９０度、回転した右側面図
【図１５】請求項１の回転体角度保持機構の回転体１を１２０度、回転した右側面図
【図１６】請求項１の回転体角度保持機構を眉間部に施した眼鏡前枠３と眼鏡後枠４と６角形柱状体２と取り付けネジ５の背面斜視図
【図１７】図１６の眉間部の拡大図
【図１８】３角柱状体空間１aに６角柱状体２を取り付けた背面斜視図の拡大図
【図１９】６角柱状体２と眼鏡後枠４を、取り付けネジ５で固定した、跳ね上げ眼鏡背面斜視図の眉間部拡大図
【図２０】請求項２の、跳ね上げ眼鏡の正面図
【図２１】請求項２の、跳ね上げ眼鏡の眼鏡前枠３を６０度に跳ね上げた正面図
【図２２】請求項２の、跳ね上げ眼鏡の眼鏡前枠３を１２０度に跳ね上げた正面図
【図２３】請求項２の、跳ね上げ眼鏡の右側面図
【図２４】請求項２の、跳ね上げ眼鏡の眼鏡前枠３を６０度に跳ね上げた右側面図
【図２５】請求項２の、跳ね上げ眼鏡の眼鏡前枠３を１２０度に跳ね上げた右側面図
【図２６】請求項２の、跳ね上げ眼鏡の平面図
【図２７】請求項２の、跳ね上げ眼鏡の眼鏡前枠３を６０度に跳ね上げた平面図
【図２８】請求項２の、跳ね上げ眼鏡の眼鏡前枠３を１２０度に跳ね上げた平面図
【図２９】請求項２の、跳ね上げ眼鏡の正面斜視図
【図３０】請求項２の、跳ね上げ眼鏡の眼鏡前枠３を６０度に跳ね上げた正面斜視図
【図３１】請求項２の、跳ね上げ眼鏡の眼鏡前枠３を１２０度に跳ね上げた正面斜視図
【図３２】請求項２の、跳ね上げ眼鏡の背面図
【図３３】請求項２の、跳ね上げ眼鏡の背面斜視図
【図３４】請求項２の、跳ね上げ眼鏡の眼鏡前枠３を６０度に跳ね上げた背面斜視図
【図３５】請求項２の、跳ね上げ眼鏡の眼鏡前枠３を１２０度に跳ね上げた背面斜視図
【発明を実施するための形態】
【００２６】
[請求項１]
弾性力を有する平板材、例えばＳＵＳ３０４−ｃｓｐなどのようなばね用ステンレス鋼の弾性板材をレーザ加工やプレス加工などの切断加工法により、縦横のジグザグ状直線に切り抜いた各々のコ字形状切片を曲げ成形し、コ字形状切片が作る、３角柱状体の空間内に多角柱状体を取り付け、多角柱状体の両側面中心を通る中心線を回転中心軸にして平板状の回転体に回転力を与えることで、コ字形状切片の弾性力により回転体が多角柱状体の平面上で回転移動しながら、多角柱状体の平面上で安定保持する、ジグザグ状に切抜き曲げ加工したコ字形状切片の構造を有した回転体、および多角柱状体から成る回転体角度保持機構。たとえば多角柱状体が６角柱状体の場合では弾性板材の弾性力で回転体が６角柱状体の平面上で回転移動しながら６０度毎に６角柱状体平面上で安定保持する。
[請求項２]
請求項１の回転体角度保持機構におけるジグザグ状の切抜き加工を眼鏡前枠輪郭の切断加工と同時に眼鏡前枠の眉間部に施した眼鏡前枠、また前記眼鏡前枠の眉間部に取り付けた請求項１の回転体角度保持機構における６角柱状体に眼鏡後枠をネジで固定した、跳ね上げ眼鏡。
【００２７】
請求項１の回転体角度保持機構を眼鏡前枠３の眉間に施し、請求項２の眼鏡後枠４と６角柱状体２を２本の取り付けネジ５で固定した、跳ね上げ眼鏡。
【実施例１】
【００２８】
図１は弾性材平板、いわゆる回転体１の中心部にレーザ加工などでジグザグ状１０に切り抜いた平面図で、ジグザグ状に切り抜いた各々のコ字形状切片１１、２１、３１を折曲げ線１３、１５、１７で回転体１の平面に対して６０度前後の角度で折曲げ加工する。
【００２９】
曲げ加工した各々のコ字形状切片間に３角柱状体空間１aが形成される。この空間内に図６の６角柱状体２を側面から挿入し、図７のように回転体１に取り付ける。
【００３０】
６角柱状体２を回転体１に取り付けた構造が回転体角度保持機構で、６角柱状体２の回転中心軸aを中心にして、回転体１に回転力を与えると図１２、図１３のように図６に表した６角柱状体２の平面４０、４１、４２、４３を回転体１のコ字形状切片１１、２１、３１ が押し広げられながら平面上を回転移動し、図１３のように平面４１、４３でコ字形状切片１１、２１、３１ が復元して平面４１、４３で回転体１が安定保持する。
【００３１】
更に６角柱状体２の回転中心軸aを中心にして、回転体１に回転力を与えると図１４、図１５のように６角柱状体２の４１、４２、４３、４４の平面上を回転体１のコ字形状切片１１、２１、３１が押し広げられながら平面上を回転移動し、図１５のように４２、４４の平面上で１１、２１、３１が復元して平面４２、４４で回転体１が安定保持する。
【００３２】
図１６は回転体角度保持機構の各部品を取り付ける前の、跳ね上げ眼鏡背面斜視図で、図１６の眉間部の拡大図１７は回転体角度保持機構のコ字形状切片１１、２１、３１を施した眼鏡前枠３、ネジ穴２aを施した６角柱状体２、ネジ取り付け穴４ａを施した眼鏡後枠４、取り付けネジ５など、回転体角度保持機構付き跳ね上げ眼鏡に必要な部品を表した。
【００３３】
図１８は３角柱状体空間１aに側面から、６角柱状体２を挿入して取り付けた背面斜視図で、図１９は眼鏡後枠４を取り付けネジ５で眼鏡後枠４のネジ取り付け穴４ａを通して、６角柱状体２のネジ穴２aに取り付けた固定した、跳ね上げ眼鏡の背面斜視拡大図である。
【００３４】
図２０は跳ね上げ眼鏡の正面図で眉間部に回転体角度保持機構が露出し、印象性の強い意匠として本考案の、跳ね上げ眼鏡を特徴付ける。
【００３５】
図３０は本考案の、跳ね上げ眼鏡の正面斜視図で、眼鏡前枠３に上向きの回転力を与えると、１１、２１、３１の弾性力で図２１、図２４、図２７、図３０、図３４のように６０度の、跳ね上げ角度で安定保持する。更に眼鏡前枠３に上向きの回転力を与えると１１、２１、３１の弾性力で図２２、図２５、図２８、図３１、図３５のように１２０度の、跳ね上げ角度で安定保持する。同じように眼鏡前枠３に下向きの回転力を与えると、眼鏡前枠３が１１、２１、３１の弾性力で１２０度から６０度、６０度から０度に回転移動する。
【産業上の利用可能性】
【００３６】
回転体角度保持機構の６角柱状体２は弾性力で跳ね上げ動作を助け、６０度と１２０度の、跳ね上げ角度を安定保持するため、跳ね上げ眼鏡に適している。また溶接作業、歯科治療など対象物に近接した作業を行うとき、跳ね上げ眼鏡の眼鏡前枠３が対象物に接触するため、大きな跳ね上げ角度が必要とされる。このような、跳ね上げ眼鏡には６角柱状体２の４３、４５の平面上で眼鏡前枠３を保持すれば１８０度の、跳ね上げ角度で安定保持されるため近接作業用の、跳ね上げ眼鏡に利用できる。
【００３７】
また跳ね上げ眼鏡の他にも回転体の、跳ね上げ動作の補助と、跳ね上げ角度保持が必要な製品や機械などにも利用できる。更に９角形や１２角形など多角柱状体を用いれば小さな角度で回転体の角度保持ができるため、回転体の細かい角度保持が必要とされる製品や機械などに利用できる。
【符号の説明】
【００３８】
１      回転体
１a     ３角柱状体空間
a       ６角柱状体の回転中心軸
２      ６角柱状体
２a     ６角柱状体のネジ穴
２b     ６角柱状体の挿入方向を指し示す矢印
３      眼鏡前枠
４      眼鏡後枠
４ａ    取り付け穴
５      取り付けネジ
１０    ジグザグ状直線
１１    コ字形状切片
１３    折り曲げ線
１５    折り曲げ線
１７    折り曲げ線
２１    コ字形状切片
３１    コ字形状切片
４０    ６角柱状体の平面
４１    ６角柱状体の平面
４２    ６角柱状体の平面
４３    ６角柱状体の平面
４４    ６角柱状体の平面
４５    ６角柱状体の平面
【図１】
2011090086.tif 000003
【図２】
2011090086.tif 000004
【図３】
2011090086.tif 000005
【図４】
2011090086.tif 000006
【図５】
2011090086.tif 000007
【図６】
2011090086.tif 000008
【図７】
2011090086.tif 000009
【図８】
2011090086.tif 000010
【図９】
2011090086.tif 000011
【図１０】
2011090086.tif 000012
【図１１】
2011090086.tif 000013
【図１２】
2011090086.tif 000014
【図１３】
2011090086.tif 000015
【図１４】
2011090086.tif 000016
【図１５】
2011090086.tif 000017
【図１６】
2011090086.tif 000018
【図１７】
2011090086.tif 000019
【図１８】
2011090086.tif 000020
【図１９】
2011090086.tif 000021
【図２０】
2011090086.tif 000022
【図２１】
2011090086.tif 000023
【図２２】
2011090086.tif 000024
【図２３】
2011090086.tif 000025
【図２４】
2011090086.tif 000026
【図２５】
2011090086.tif 000027
【図２６】
2011090086.tif 000028
【図２７】
2011090086.tif 000029
【図２８】
2011090086.tif 000030
【図２９】
2011090086.tif 000031
【図３０】
2011090086.tif 000032
【図３１】
2011090086.tif 000033
【図３２】
2011090086.tif 000034
【図３３】
2011090086.tif 000035
【図３４】
2011090086.tif 000036
【図３５】
2011090086.tif 000037